(57)【要約】      （修正有）【課題】閉じられた後に、戸板に錠を掛けることができ、内側から錠を解除することができず、捕獲された動物の脱出を防ぐことができる捕獲装置を提供する。【解決手段】捕獲装置は、捕獲檻、引き金機構２０、少なくとも一つの第一弾性要素３０、及び少なくとも一つのロック機構４０を具える。捕獲檻は檻本体１１と戸板１２とを具える。引き金機構２０の一端は檻本体の中にあり、他端は檻本体の外にあり、戸板と選択的に連結される。ロック機構４０は、檻本体の外側表面に固定して取付けられる。動物がペダル２１を押圧し、引き金機構２０が戸板から離れた場合、第一弾性要素３０が戸板を動かし、開口１１０を閉じ、その後、ロック機構４０が戸板を貫通する。捕獲装置が動物を捕獲した後、ロック機構は戸板をロックする。外側から操作しない限り、戸板は再び開かない。【選択図】図３
0003218048.tif 000002
【実用新案登録請求の範囲】
【請求項１】
捕獲装置であって、
檻本体と少なくとも１つの戸板を具える捕獲檻を具え、前記檻本端が該檻本体の側壁に形成された少なくとも１つの開口を有し、前記少なくとも１つの戸板が前記少なくとも１つの開口を選択的に閉じ、
前記檻本体の上壁に取付けられた引き金機構を具え、該引き金機構の一端が前記檻本体の中に配置され、前記引き金機構の他端が前記檻本体の外に配置され、前記少なくとも１つの戸板と選択的に連結され、
少なくとも１つの第一弾性要素を具え、該少なくとも１つの弾性要素の一端が前記檻本体に固定して取付けられ、前記少なくとも１つの弾性要素の他端が前記少なくとも１つの戸板に固定して取付けられ、これにより、前記少なくとも１つの戸板が前記少なくとも１つの開口を閉じ、
少なくとも１つのロック機構を具え、該少なくとも１つのロック機構が前記檻本体の外側表面に固定して取付けられ、前記少なくとも１つの戸板に選択的に固定して取付けられ、
前記少なくとも１つの戸板が前記少なくとも１つの開口を開ける場合、前記引き金機構は前記少なくとも１つの戸板を支持し、前記少なくとも１つのロック機構は前記少なくとも１つの戸板の側面に当接し、前記引き金機構が前記少なくとも１つの戸板から離された場合、前記少なくとも１つの第一弾性要素によって前記少なくとも１つの戸板が前記少なくとも１つの開口を閉じ、前記ロック機構が前記少なくとも１つの戸板を貫通する、
捕獲装置。
【請求項２】
前記少なくとも１つのロック機構のそれぞれが、前記檻本体に固定して取付けられ、溝を形成する固定基部と、
前記溝に可動に収容される掛け金とを具え、該掛け金の一端が前記少なくとも１つの戸板に選択的に当接し、又は前記少なくとも１つの戸板を貫通し、
前記溝に取付けられた第二弾性要素を具え、該第二弾性要素の一端が前記固定基部と連結され、前記第二弾性要素の他端が前記掛け金と連結され、これにより、前記掛け金が前記溝の外に移動し、
請求項１の捕獲装置。
【請求項３】
前記少なくとも１つのロック機構のそれぞれの固定基部が前記溝と連通する貫通孔を具え、該貫通穴が前記溝の長さ方向に延びる動作部、及び該動作部と連通し該動作部が延びる前記溝の長さ方向に対して直交する方向に延びる固定部を具え、
前記少なくとも１つのロック機構のそれぞれが前記貫通孔の外に突出して前記掛け金に固定して取付けられた突起を具え、
前記少なくとも１つのロック機構のそれぞれの前記掛け金が前記溝に枢動可能に収容された
請求項２の捕獲装置。
【請求項４】
前記引き金機構が前記檻本体の中の底面の近くに取付けられたペダルを具え、該ペダルが移動行程を有し、上下方向に移動することができ、
前記檻本体に傾動可能に取付けられた作動要素を具え、該作動要素が前記檻本体の中に配置され前記ペダルと連結された第一フック部、及び前記檻本体の外に配置された第二フック部を具え、
前記檻本体に傾動可能に取付けられた第一連結要素を具え、該第一連結要素の一端が前記少なくとも１つの戸板の１つに選択的に当接し、支持し、前記第一連結要素の他端が前記第二フック部によって選択的に掛留めされ、
第三弾性要素とを具え、該第三弾性要素の一端が前記檻本体に固定して取付けられ、前記第三弾性要素の他端が前記第一フック部と連結され、これにより、前記第一フック部が上方に傾き、
前記作動要素の前記第二フック部が前記第一連結要素を掛留めする場合、前記第一連結要素は前記少なくとも１つの戸板に当接し、支持し、前記少なくとも１つの戸板は前記開口を開け、前記第三弾性要素によって前記第一フック部が前記ペダルを上に傾け前記ペダルを引き、その結果前記ペダルが前記行程の上端にあり、前記ペダルが前記行程の下端にある場合に、前記ペダルは前記第一フック部を下に向かって引き、その結果前記第二フック部が前記第一連結要素から離れ、これにより、前記第一連結要素は前記少なくとも１つの戸板から離れ、前記少なくとも１つの戸板は前記少なくとも１つの開口を閉じる、
請求項1乃至３の捕獲装置。
【請求項５】
前記檻本体が該檻本体の２つの対向する側壁にそれぞれ形成された２つの開口を具え、
前記捕獲檻が前記２つの開口を選択的にそれぞれ閉じる２つの戸板を具え、
前記第一連結要素の前記一端が前記２つの戸板のうち１つに選択的に当接し、支持し、
前記捕獲装置が、２つの第一弾性要素、前記２つの戸板をそれぞれ選択的に貫通する２つのロック機構、及び前記檻本体に傾動可能に取付けられた第二連結要素とをさらに具え、前記２つの第一弾性要素のそれぞれの一端が前記檻本体に固定して取付けられ、前記２つの第一弾性要素のそれぞれの他端が前記２つの戸板のうちの１つに固定して取付けられ、前記第二連結要素の一端が前記２つの戸板の残りの戸板に選択的に当接し、支持し、前記第二連結要素の他端が前記第一連結要素の他端に上に向かって選択的に当接し、前記第一連結要素の他端が前記作動要素の前記第二フック部によって掛留めされた、
請求項４の捕獲装置。
【請求項６】
前記ペダルが、第一ボードと第二ボードを具え、前記第一ボードの複数の縁のうちの１つの縁が前記檻本体の前記底面に枢動可能に取付けられ、前記戸板の１つの近くにあり、前記第一ボードの前記複数の縁の残りの縁のうちの１つの縁が前記第一フック部と連結され、前記第二ボードの複数の縁のうちの１つの縁が前記檻本体の前記底面に枢動可能に取付けられ、前記戸板の他方の近くにあり、前記第二ボードの前記複数の縁の残りの縁のうち１つの縁が前記第一ボードの前記残りの縁のうちの１つの縁に下に向かって当接している、請求項５の捕獲装置。
【請求項７】
前記檻本体がさらに調節組立体を具え、該調節組立体が前記檻本体の上壁に回転可能に取付けられた取っ手及び調節アームを具え、該調節アームの一端が前記取っ手に固定して取付けられ、前記調節アームの他端が前記引き金機構と連結されている、請求項１乃至３の捕獲装置。
【請求項８】
前記檻本体が該檻本体の２つの対向する側壁にそれぞれ形成された２つの開口を具え、
前記捕獲檻が前記２つの開口を選択的にそれぞれ閉じる２つの戸板を具え、
前記第一連結要素の前記一端が前記２つの戸板のうち１つに選択的に当接し、支持し、
前記捕獲装置が２つの第一弾性要素及び前記２つの戸板をそれぞれ選択的に貫通する２つのロック機構をさらに具え、前記２つの第一弾性要素のそれぞれの一端が前記檻本体に固定して取付けられ、前記２つの第一弾性要素のそれぞれの他端が前記２つの戸板のうちの１つに固定して取付けられた、
請求項１乃至３の捕獲装置。
【考案の詳細な説明】
【技術分野】
【０００１】
本考案は、捕獲装置、特に野生動物を捕獲するための捕獲装置に関する。
【背景技術】
【０００２】
従来の捕獲装置の檻本体は檻に取付けられた作動要素を具え、作動要素の下端はそこに吊下げられた餌を有し、作動要素の上端は連結要素によって掛留めされ、連結要素は檻本体の戸板と連結され、これにより戸板が開いた状態を維持できる。動物が檻本体に入り、餌を掴んで、作動要素が揺す振られると、作動要素の上端が連結要素から離れ、戸板が直ちに檻本体を閉じ、これにより、動物を捕獲する。しかしながら、非常に強く、獰猛な野生動物もいるので、捕獲された動物により閉まっている戸板が再び開かれることがある。そのため、捕獲された動物には、逃げる機会がある。現在の捕獲装置は掛け金を具え、檻本体が閉じられた場合、掛け金が下り、直ちに戸板に錠が掛けられるが、捕獲後しばらくして、掛け金を押し戻すことができる非常に賢い動物がいる。それ故、捕獲された動物には、掛け金があったとしても逃げる機会がまだある。
【０００３】
上記欠点を克服するため、本考案は、上述した問題を軽減、又は防ぐための捕獲装置を提供する。
【考案の概要】
【考案が解決しようとする課題】
【０００４】
本考案の主要な目的は、閉じられた後に、戸板によって戸板に錠を掛けることができ、捕獲装置の内側から錠を解除することができない捕獲装置を提供することであり、これにより、捕獲された動物の脱出を防ぐ。
【課題を解決するための手段】
【０００５】
捕獲装置は、捕獲檻、引き金機構、少なくとも一つの第一弾性要素、及び少なくとも一つのロック機構を具える。捕獲檻は檻本体と少なくとも一つの戸板とを具える。檻本体は檻本体の側壁に形成された少なくとも一つの開口を有する。少なくとも一つの戸板は少なくとも一つの開口を選択的に閉じる。引き金機構は檻本体の上壁に取付けられる。引き金機構の一端は檻本体の中に配置され、引き金機構の他端は檻本体の外に配置され、少なくとも一つの戸板と選択的に連結される。少なくとも一つの第一弾性要素の一端が檻本体に固定して取付けられており、少なくとも一つの第一弾性要素の他端が少なくとも一つの戸板に固定して取付けられている。これにより、少なくとも一つの戸板は少なくとも一つの開口を閉じる。少なくとも一つのロック機構は、檻本体の外側表面に固定して取付けられ、少なくとも一つの戸板に選択的に取付けられる。
【０００６】
少なくとも一つの戸板が少なくとも一つの開口を開ける場合、引き金機構は少なくとも一つの戸板を支持し、少なくとも一つのロック機構は少なくとも一つの戸板の側面に当接する。引き金機構が少なくとも一つの戸板から離れた場合、少なくとも一つの第一弾性要素によって少なくとも一つの戸板が少なくとも一つの開口を閉じ、それ故、ロック機構が、少なくとも一つの戸板を貫通する。
【考案の効果】
【０００７】
従って、本考案の効果の１つは、捕獲装置が動物を捕獲した場合に、ロック機構が戸板をロックできるということである。更に、外側から操作しない限り、戸板は開かないので、捕獲装置は捕獲された動物の脱出を防ぐことができる。
【０００８】
本考案の他の目的、効果、及び新規な特徴は、添付の図面を参照し、以下の詳細な説明からより明らかになる。
【図面の簡単な説明】
【０００９】
【図１】図１は本考案の捕獲装置の平面図。
【図２】図２は図１の捕獲装置の分解図。
【図３】図３は動物捕獲前の図１の捕獲装置の断面図。
【図４】図４は動物捕獲前の図１の捕獲装置の戸板及びロック機構の断面図。
【図５】図５は動物捕獲後の図１の捕獲装置の断面図。
【図６】図６は動物捕獲後の図１の捕獲装置の戸板及びロック機構の断面図。
【考案を実施するための形態】
【００１０】
図１および図３を参照して、本考案の捕獲装置は、捕獲檻１０、引き金機構２０、少なくとも一つの第一弾性要素３０、及び少なくとも一つのロック機構４０を具える。
【００１１】
捕獲檻１０は、檻本体１１及び少なくとも一つの戸板１２を具える。檻本体１１は檻本体１１の側壁に形成された少なくとも一つの開口１１０を具え、少なくとも一つの戸板１２は少なくとも一つの開口１１０をそれぞれ選択的に閉じる。本実施例において、捕獲檻１０は、２つの開口１１０及び２つの戸板１２を具える。２つの開口１１０はそれぞれ檻本体１１の２つの対向する側壁に配置され、２つの戸板１２はそれぞれ２つの開口１１０を選択的に閉じる。戸板１２のそれぞれは、戸板１２に固定孔１２０を形成する。檻本体１１は、調節組立体１３を選択的に具える。調節組立体１３は、取っ手および調節アームを具えてもよい。取っ手は檻本体１１に回転可能に取付けられ、取っ手の一端は檻本体１１の外に露出し、取っ手の他端は檻本体１１の中にある。調節アームの一端は取っ手の一端に固定して取付けられ、取っ手の当該一端は檻本体の中にある。
【００１２】
引き金機構２０は檻本体１１の上壁に取付けられ、引き金機構２０の一端は檻本体１１の中にあり、引き金機構２０の他端は檻本体１１の外にあって、戸板１２と選択的に連結される。引き金機構２０は、ペダル２１、作動要素２２、第三弾性要素２３、及び第一連結要素２４を具え、選択的に第二連結要素２５を具える。
【００１３】
ペダル２１は、檻本体１１の中の檻本体１１の底面の近くに取付けられる。ペダル２１は、上下動する。本実施例において、２つの開口１１０に対応して、ペダル２１は、第一ボード２１１及び第二ボード２１２を具える。第一ボード２１１の一縁は檻本体１１の底面に枢動可能に取付けられ、当該縁は戸板１２のうちの１つの近くにある。第一ボード２１１の他縁は、作動要素２２と連結される。第二ボード２１２の一縁は檻本体１１の底面に枢動可能に取付けられ、当該縁はもう一方の戸板１２の近くにある。第二ボード２１２の他縁は、第一ボード２１１の前記他縁に当接する。１つの開口１１０しか具えない実施例では、ペダル２１は１つのボードを具えてもよく、ボードの一方の縁は檻本体１１の底面に枢動可能に取付けられ、当該縁は戸板１２の近くにある。
【００１４】
作動要素２２は、檻本体１１に傾動可能に取り付けられ、第一フック部２２１及び第二フック部２２２を具える。第一フック部２２１は、檻本体１１内に取り付けられ、ペダル２１の第一ボード２１１の前記他縁と連結される。第二フック部２２２は、檻本体１１の外に取付けられる。第三弾性要素２３の一端は檻本体１１に固定して取付けられ、第三弾性要素２３の他端は第一フック部２２１と連結され、これにより、第一フック部２２１は上方に傾く。調節組立体１３を具える実施例では、第三弾性要素２３の一端は、檻本体１１の調節組立体１３の調節アームに固定して取付けられる。調節組立体１３がある状態では、調節アームと第一フック部２２１の間の距離を取っ手によってコントロールしてもよく、これにより、第一フック部２２１の押上げ力は第三弾性要素２３によってコントロールされる。それ故、ペダル２１の感度が調節され得る。
【００１５】
第一連結要素２４は、檻本体１１に傾動可能に取付けられる。第一連結要素２４の一端は戸板１２のうちの１つに選択的に当接し、支持し、第一連結要素２４の他端は第二フック部２２２によって選択的に掛留めされる。檻本体１１の２つの開口１１０に対応して、本考案のこの実施例の捕獲装置は、第二連結要素２５を具える。第二連結要素２５は、檻本体１１に傾動可能に取付けられる。第二連結要素２５の一端はもう一方の戸板１２に選択的に当接し、支持し、第二連結要素２５の他端は第一連結要素２４の前記他端に上に向かって選択的に当接し、前記他端は、作動要素２２の第二フック部２２２によって掛留めされる。
【００１６】
第一弾性要素３０の一端は檻本体１１に固定して取付けられ、第一弾性要素３０の他端は戸板１２に固定して取付けられ、これにより、戸板１２は開口１１０に近づく。本実施例では、捕獲装置は、２つの第一弾性要素３０を具える。２つの第一弾性要素３０はそれぞれ２つの戸板１２と連結され、２つの戸板１２はそれぞれ２つの開口１１０に近づく。
【００１７】
次に、図１及び図２を参照する。ロック機構４０は、檻本体１１の外側表面に固定して取付けられ、少なくとも一つの戸板１２のうちの１つに選択的に取付けられる。本実施例では、２つの開口１１０に対応して、捕獲装置は、２つの戸板１２にそれぞれ選択的に取付けられる２つのロック機構４０を具える。
【００１８】
正確には、ロック機構４０のそれぞれは、固定基部４１、掛け金４２、及び第二弾性要素４３を具え、選択的に、突起４４を具える。
【００１９】
固定基部４１は、檻本体１１に固定して取付けられ、溝４１１及び貫通孔４１２を形成する。貫通孔４１２は溝４１１と連通し、動作部４１２１及び固定部４１２２を具える。動作部４１２１は、溝４１１の長さ方向に延びる。固定部４１２２は、動作部４１２１と連通し、動作部４１２１の延び方向に対して直交する方向に延びる。換言すれば、貫通孔４１２は、Ｌ字形状を形成する。Ｌの２つの脚は、それぞれ動作部４１２１及び固定部４１２２である。
【００２０】
掛け金４２は溝４１１に可動、且つ、枢動可能に収容される。掛け金４２の一端は、１つの戸板１２の固定孔１２０に選択的に当接する、又は固定孔１２０を貫通する。第二弾性要素４３は溝４１１に取付けられる。第二弾性要素４３の一端は固定基部４１と連結され、第二弾性要素４３の他端は掛け金４２と連結され、これにより掛け金４２は溝４１１の外に延びる。突起４４は、掛け金４２に固定して取付けられ、貫通孔４１２の外に延びる。それ故、使用者は、突起４４を押すことができ、突起４４が貫通孔４１２の動作部４１２１内を移動する場合、掛け金４２は溝４１１の長さ方向に移動する。突起４４が貫通孔４１２の固定部４１２２内を移動する場合、掛け金４２は回転し、掛け金４２の移動を妨げる。
【００２１】
次に、図３および図４を参照する。上述した構造で、捕獲装置が設置された場合、作動要素２２の第二フック部２２２は第一連結要素２４を掛留めするように配置され、第一連結要素は戸板１２に当接し、支持する。これにより、戸板１２は開口１１０を開ける。一方、第二弾性要素４３は第一フック部２２１を動かし、ペダル２１を上に傾け、ペダル２１を引く。これにより、ペダル２１は動かされ、上下移動の上端に配置される。それ故、戸板１２が対応する開口１１０を開けた場合、引き金機構２０は戸板１２を支持し、第二弾性要素４３は掛け金４２を動かし、戸板１２の一方の面に当接する。
【００２２】
次に、図５および図６を参照する。動物が本考案の捕獲装置に入った場合、動物はペダル２１が下方へ枢動するように、ペダル２１を押圧する。ペダル２１が上下移動の最も下端に枢動した場合、ペダル２１は第一フック部２２１を下げ、第二フック部２２２及び第一連結要素２４はお互いから離され、これにより第一連結要素２４及び第二連結要素２５は対応する戸板１２から離れ、それ故、第一弾性要素３０が戸板１２を動かして対応する開口部１１０を閉じる。戸板１２が開口１１０を閉じた場合、戸板１２の固定孔１２０はロック機構４０の掛け金４２とそれぞれ対向し、それ故、第二弾性要素４３は、対応する掛け金４２を動かし、対応する固定孔１２０に移動し、対応する戸板１２をロックする。
【００２３】
結果として、本考案の捕獲装置が動物を捕獲した後、ロック機構４０が戸板１２をロックすることができる。外側から操作しない限り、戸板１２を再び開けることはできない。これにより、捕獲された動物の脱出を防ぐ。
【００２４】
本考案の多数の特徴及び効果が本考案の構造及び機能の詳細とともに前述されているが、開示内容は実施例にすぎない。細かな点が変更されてもよく、特に、添付の請求項に記載された用語の広く通常の意味によって示された全範囲に対して、本考案の原理の範囲内において、部品の形、大きさ、及び配列に関する事柄が変更されてもよい。
【符号の説明】
【００２５】
１０    捕獲檻
１１    檻本体
１２    戸板
１３    調節組立体
２０    引き金機構
２１    ペダル
２２    作動要素
２３    第三弾性要素
２４    第一連結要素
２５    第二連結要素
３０    第一弾性要素
４０    ロック機構
４１    固定基部
４２    掛け金
４３    第二弾性要素
４４    突起
１１０  開口
１２０  固定孔
【図１】
0003218048.tif 000003
【図２】
0003218048.tif 000004
【図３】
0003218048.tif 000005
【図４】
0003218048.tif 000006
【図５】
0003218048.tif 000007
【図６】
0003218048.tif 000008
【手続補正書】
【提出日】平成30年7月23日(2018.7.23)
【手続補正１】
【補正対象書類名】実用新案登録請求の範囲
【補正対象項目名】請求項１
【補正方法】変更
【補正の内容】
【請求項１】
捕獲装置であって、
檻本体と少なくとも１つの戸板を具える捕獲檻を具え、前記檻本体が該檻本体の側壁に形成された少なくとも１つの開口を有し、前記少なくとも１つの戸板が前記少なくとも１つの開口を選択的に閉じ、
前記檻本体の上壁に取付けられた引き金機構を具え、該引き金機構の一端が前記檻本体の中に配置され、前記引き金機構の他端が前記檻本体の外に配置され、前記少なくとも１つの戸板と選択的に連結され、
少なくとも１つの第一弾性要素を具え、該少なくとも１つの弾性要素の一端が前記檻本体に固定して取付けられ、前記少なくとも１つの弾性要素の他端が前記少なくとも１つの戸板に固定して取付けられ、これにより、前記少なくとも１つの戸板が前記少なくとも１つの開口を閉じ、
少なくとも１つのロック機構を具え、該少なくとも１つのロック機構が前記檻本体の外側表面に固定して取付けられ、前記少なくとも１つの戸板に選択的に固定して取付けられ、
前記少なくとも１つの戸板が前記少なくとも１つの開口を開ける場合、前記引き金機構は前記少なくとも１つの戸板を支持し、前記少なくとも１つのロック機構は前記少なくとも１つの戸板の側面に当接し、前記引き金機構が前記少なくとも１つの戸板から離された場合、前記少なくとも１つの第一弾性要素によって前記少なくとも１つの戸板が前記少なくとも１つの開口を閉じ、前記ロック機構が前記少なくとも１つの戸板を貫通する、
捕獲装置。
【手続補正２】
【補正対象書類名】実用新案登録請求の範囲
【補正対象項目名】請求項３
【補正方法】変更
【補正の内容】
【請求項３】
前記少なくとも１つのロック機構のそれぞれの固定基部が前記溝と連通する貫通孔を具え、該貫通孔が前記溝の長さ方向に延びる動作部、及び該動作部と連通し該動作部が延びる前記溝の長さ方向に対して直交する方向に延びる固定部を具え、
前記少なくとも１つのロック機構のそれぞれが前記貫通孔の外に突出して前記掛け金に固定して取付けられた突起を具え、
前記少なくとも１つのロック機構のそれぞれの前記掛け金が前記溝に枢動可能に収容された
請求項２の捕獲装置。
【手続補正３】
【補正対象書類名】実用新案登録請求の範囲
【補正対象項目名】請求項４
【補正方法】変更
【補正の内容】
【請求項４】
前記引き金機構が前記檻本体の中の底面の近くに取付けられたペダルを具え、該ペダルが移動行程を有し、上下方向に移動することができ、
前記檻本体に傾動可能に取付けられた作動要素を具え、該作動要素が前記檻本体の中に配置され前記ペダルと連結された第一フック部、及び前記檻本体の外に配置された第二フック部を具え、
前記檻本体に傾動可能に取付けられた第一連結要素を具え、該第一連結要素の一端が前記少なくとも１つの戸板の１つに選択的に当接し、支持し、前記第一連結要素の他端が前記第二フック部によって選択的に掛留めされ、
第三弾性要素を具え、該第三弾性要素の一端が前記檻本体に固定して取付けられ、前記第三弾性要素の他端が前記第一フック部と連結され、これにより、前記第一フック部が上方に傾き、
前記作動要素の前記第二フック部が前記第一連結要素を掛留めする場合、前記第一連結要素は前記少なくとも１つの戸板に当接し、支持し、前記少なくとも１つの戸板は前記開口を開け、前記第三弾性要素によって前記第一フック部が前記ペダルを上に傾け前記ペダルを引き、その結果前記ペダルが前記行程の上端にあり、前記ペダルが前記行程の下端にある場合に、前記ペダルは前記第一フック部を下に向かって引き、その結果前記第二フック部が前記第一連結要素から離れ、これにより、前記第一連結要素は前記少なくとも１つの戸板から離れ、前記少なくとも１つの戸板は前記少なくとも１つの開口を閉じる、
請求項1乃至３のいずれか１項に記載の捕獲装置。
【手続補正４】
【補正対象書類名】実用新案登録請求の範囲
【補正対象項目名】請求項７
【補正方法】変更
【補正の内容】
【請求項７】
前記檻本体がさらに調節組立体を具え、該調節組立体が前記檻本体の上壁に回転可能に取付けられた取っ手及び調節アームを具え、該調節アームの一端が前記取っ手に固定して取付けられ、前記調節アームの他端が前記引き金機構と連結されている、請求項１乃至３のいずれか１項に記載の捕獲装置。
【手続補正５】
【補正対象書類名】実用新案登録請求の範囲
【補正対象項目名】請求項８
【補正方法】変更
【補正の内容】
【請求項８】
前記檻本体が該檻本体の２つの対向する側壁にそれぞれ形成された２つの開口を具え、
前記捕獲檻が前記２つの開口を選択的にそれぞれ閉じる２つの戸板を具え、
前記第一連結要素の前記一端が前記２つの戸板のうち１つに選択的に当接し、支持し、
前記捕獲装置が２つの第一弾性要素及び前記２つの戸板をそれぞれ選択的に貫通する２つのロック機構をさらに具え、前記２つの第一弾性要素のそれぞれの一端が前記檻本体に固定して取付けられ、前記２つの第一弾性要素のそれぞれの他端が前記２つの戸板のうちの１つに固定して取付けられた、
請求項４乃至６のいずれか１項に記載の捕獲装置。